(57)【要約】【課題】養液栽培に用いられている天然の砂の代替え手段を提供する。【解決手段】粒状の無機培地が充填されている高床式の栽培床を用意し、培養液を無機培地に供給しながら、植物の根系が無機培地内を伸長するように植物を栽培する養液栽培方法において、上記粒状の無機培地としてゴミ焼却灰の溶融スラグの冷却粉砕物を使用する。【選択図】図６
2015039303.tif 000002
【特許請求の範囲】
【請求項１】
粒状の無機培地が充填されている高床式の栽培床を用意し、培養液を無機培地に供給しながら、植物の根系が無機培地内にて伸長するように植物を栽培する養液栽培方法であって、上記粒状の無機培地としてゴミ焼却灰の溶融スラグの冷却粉砕物を使用することを特徴とする養液栽培方法。
【請求項２】
上記粒状の無機培地がゴミ焼却灰の溶融スラグの冷却粉砕物のみからなる請求項１に記載の養液栽培方法。
【請求項３】
上記粒状の無機培地がゴミ焼却灰の溶融スラグの冷却粉砕物と天然の砂との混合物であって、混合物中のゴミ焼却灰の溶融スラグの冷却粉砕物の比率が３０質量％以上である請求項１に記載の養液栽培方法。
【請求項４】
粒状の無機培地が充填されている高床式の栽培床および栽培床に取り付けられて培養液を栽培床に供給する給液装置からなる養液栽培装置であって、上記粒状の無機培地がゴミ焼却灰の溶融スラグの冷却粉砕物であることを特徴とする養液栽培装置。
【発明の詳細な説明】
【技術分野】
【０００１】
本発明は、粒状の無機培地に培養液を供給しながら植物を養液栽培する方法および同様に植物を養液栽培するための装置に関する。
【背景技術】
【０００２】
養液栽培は、従来の植物栽培で必須であった土壌を使用せず、従来は土壌から供給していた成分を水と共に培養液として供給しながら植物を栽培する方法である。養液栽培は、土壌の代わりとなる培地を使用する方法と培地を使用しない方法（水耕、噴霧耕）とに分類される。土壌の代わりとなる培地は、材料の種類（有機、無機あるいは天然物、人工物）や形状（粒状、繊維状、その他）によって分類されている。
【０００３】
養液栽培には、土壌の条件とは無関係に、あるいは土壌が存在しない場所でも植物を栽培できるとの特徴がある。また、連作障害のような土壌を主な原因とする問題が実質的に存在せず、仮に問題が生じても解決が容易である。さらに、地面または屋内栽培における屋内の床面よりも高い位置に高床式の栽培床を設けることができ、これにより栽培作業の負担を軽減することができる。
以上のような養液栽培の利点は、近年の農業において重大な問題になっている農業従事者の減少や高齢化、あるいは農地の減少への対策として有効である。養液栽培は、年々、栽培面積が増加している。
【０００４】
養液栽培の無機培地としては、天然のレキ（礫）、天然の砂、あるいはロックウールが使用されている。砂は、レキと比較すると保水力が相対的に優れ、ロックウールと比較すると透水性が相対的に優れている。また、砂の中ではレキやロックウールの場合よりも、植物の根系が容易に伸長できる。そのため、短期間で促成して出荷する葉物類（例、サラダ菜、チンゲン菜、小松菜）の栽培に適している。また、砂培地では、根菜類（例、大根、ニンジン、じゃがいも）の栽培も可能である。
【０００５】
以上の利点があるため、天然の砂を無機培地として使用する養液栽培も、年々、栽培面積が増加している。
しかし、最近では環境問題から天然の砂の採取が厳しく制限され、砂の利用が困難になりつつある。植物栽培に適した透水性を有する天然の砂は、採取できる場所が限られている。
【０００６】
特許文献１は、ロックウール成形体およびその製造方法に関する発明を開示している（発明の名称）。ロックウール成形体は、繊維（Ｆ）と骨材（Ｓ）からなる（図１および符号の説明）。繊維は、岩石を溶融したスラグから製造される（０００２）。骨材は、スラグを発泡させて製造される多孔質粒子である（００１３）。
【０００７】
特許文献１は、ロックウール成形体の用途として植物栽培用培地を開示している（０００１）。また、ロックウール成形体の繊維または骨材を、ゴミ焼却場から排出される焼却灰溶融スラグを主原料として製造することも開示している（請求項２および請求項３）。
しかし、特許文献１は、ゴミ焼却場から排出される焼却灰溶融スラグを主原料とすることについて、技術的な利点を特に述べていない。特許文献１には「大量のゴミ廃棄物の有効利用につながる」と記載されているだけである（０００３）。
【先行技術文献】
【特許文献】
【０００８】
【特許文献１】特開２００３−５５号公報
【発明の開示】
【発明が解決しようとする課題】
【０００９】
本発明の目的は、養液栽培に用いられている天然の砂の代替え手段を提供することである。
本発明の目的は、天然の砂以外の材料を含む粒状の無機培地に培養液を供給しながら植物を養液栽培する方法および同様に植物を養液栽培するための装置を提供することでもある。
【課題を解決するための手段】
【００１０】
本発明は、粒状の無機培地が充填されている高床式の栽培床を用意し、培養液を無機培地に供給しながら、植物の根系が無機培地内にて伸長するように植物を栽培する養液栽培方法であって、上記粒状の無機培地としてゴミ焼却灰の溶融スラグの冷却粉砕物を使用することを特徴とする養液栽培方法を提供する。
【００１１】
上記粒状の無機培地は、ゴミ焼却灰の溶融スラグの冷却粉砕物のみからなっていてもよい。
上記粒状の無機培地は、ゴミ焼却灰の溶融スラグの冷却粉砕物と天然の砂との混合物であってもよい。ただし、上記混合物中のゴミ焼却灰の溶融スラグの冷却粉砕物の比率は３０質量％以上が好ましい。上記混合物中のゴミ焼却灰の溶融スラグの冷却粉砕物の比率は、４０乃至９５質量％が好ましく、４５乃至９０質量％がさらに好ましい。
上記無機培地の厚さは、１０乃至３０ｃｍであることが好ましく、１５乃至２０ｃｍであることがさらに好ましい。
【００１２】
本発明は、粒状の無機培地が充填されている高床式の栽培床および栽培床に取り付けられて培養液を栽培床に供給する給液装置からなる養液栽培装置であって、上記粒状の無機培地がゴミ焼却灰の溶融スラグの冷却粉砕物であることを特徴とする養液栽培装置も提供する。
【００１３】
上記栽培床の底面に培養液を栽培床から排出する排液口が設けられていてもよい。
上記高床式の栽培床は、容器および容器に取り付けられている複数の支柱からなっていてもよい。
【発明の効果】
【００１４】
本発明者は、養液栽培において粒状の無機培地として使用されている天然の砂の代わりとなる物を探し求めた。その結果、ゴミ焼却灰の溶融スラグを冷却し、さらに粉砕することによって、養液栽培において天然の砂と同様に使用できる粒状の無機培地を得ることができた。すなわち、本発明者は、粒状の無機培地としてゴミ焼却灰の溶融スラグの冷却粉砕物を使用することにより、天然の砂を使用する場合と同様に植物を栽培することに成功した。ゴミ焼却灰の溶融スラグの冷却粉砕物を天然の砂と併用しても、同様に良好な結果が得られる。
【００１５】
前述したように、特許文献１は、ロックウール成形体の繊維または骨材を、ゴミ焼却場から排出される焼却灰溶融スラグを主原料として製造することを開示している。ロックウール成形体の繊維および骨材は、従来から岩石を溶融したスラグから製造されている。特許文献１は、従来の岩石を溶融したスラグを、焼却灰溶融スラグに置き換えることを提案している。
【００１６】
本発明では、天然の砂に代えて、ゴミ焼却灰の溶融スラグを冷却および粉砕して使用する。天然の砂とは全く異なるゴミ焼却灰の溶融スラグの冷却粉砕物を用いても、天然の砂を用いる場合と同様の結果が得られたことは全く予想外であった。
本発明により、天然の砂の入手が困難になっても、粒状の無機培地を用いる養液栽培を実施することが可能になった。
【図面の簡単な説明】
【００１７】
【図１】播種用ポットからなる栽培床を示す写真である。
【図２】播種用ポットからなる栽培床にゴミ焼却灰の溶融スラグの冷却粉砕物を充填した状態を示す写真である。
【図３】ポットに播いたチンゲン菜の種子が発芽した状態を示す写真である。
【図４】播種後１５日が経過した苗の状態を示す写真である。
【図５】苗を定植した状態を示す写真である。
【図６】定植後１２日が経過したチンゲン菜を示す写真である。
【図７】定植後２０日が経過したチンゲン菜を示す写真である。
【図８】参考例において理想的な砂を用いて栽培し、定植後１２日が経過したチンゲン菜を示す写真である。
【発明を実施するための形態】
【００１８】
［ゴミ焼却灰の溶融スラグの冷却粉砕物および天然の砂との混合物］
ゴミ焼却灰は、日本国内で年間に５００万トン以上が排出されている。ゴミ焼却灰の溶融スラグを冷却した（必要により、さらに粉砕した）物は、コンクリートや道路舗装の資材や土地改良材として利用されている。
スラグの製造では、高温でゴミ焼却灰を溶融する。最新のゴミ処理施設における処理温度は、１２００℃以上（一般に１２００乃至１３００℃）である。そのような高温では、ゴミ焼却灰に残存しているプラスチックのような有機物は完全に燃焼、分解する。また、鉛のような低沸点の金属も揮発する。さらに、１２００℃以上の高温ならば、ダイオキシンも完全に（９９．９％以上）分解される。
【００１９】
以上のように、最新のゴミ処理施設において製造されるゴミ焼却灰の溶融スラグは、有害な成分を実質的に含まず、植物の栽培に利用することができる。
【００２０】
ゴミ焼却灰の溶融スラグに含まれる主要な元素の組成（ｍｇ／ｋｇ）は、以下の通りである（コークスベッド式溶鉱炉の特性、平田雄彦他、衛生工学シンポジウム論文集、５：１０７−１１０、１９９７年１１月１日参照）。
（１）Ｓｉ：１７００００、  （２）Ｃａ：１７００００、
（３）Ａｌ：  ５５０００、  （４）Ｍｇ：  ２７０００、
（５）Ｎａ：  ２６０００、  （６）Ｆｅ：  ２３０００、
（７）Ｋ：    １２０００、  （８）Ｓ：      ５２００、
（９）Ｃｕ：    １７００、（１０）Ｚｎ：      ８８０、
（１１）Ｃｌ：    ６００、（１２）Ｐｂ：        ２８
【００２１】
溶融スラグは、特別な処理（繊維化処理、発泡処理）を実施することなく、そのまま冷却する。
本発明では、ゴミ焼却灰の溶融スラグの冷却粉砕物を天然の砂に代えて、または天然の砂と共に使用する。養液栽培に使用する粒状の無機培地では、透水性の調節が重要である。従って、溶融スラグの冷却物を粉砕する場合、目安として、養液栽培に好ましく使用されている天然の砂の透水性と同様の透水性が得られる程度まで冷却物を粉砕することが好ましい。
ゴミ焼却灰の溶融スラグの冷却粉砕物の平均粒径は、１００乃至５０００μｍが好ましく、２００乃至２０００μｍがさらに好ましく、５００乃至１０００μｍが最も好ましい。
【００２２】
粒径分布は、なるべく不均一であることが好ましい。平均粒径±１２％（０．８８×平均粒径乃至１．１２×平均粒径）の範囲外に４０質量％以上の粒子が含まれていることが好ましく、５０質量％以上の粒子が含まれていることがさらに好ましく、５５質量％以上の粒子が含まれていることが最も好ましい。また、平均粒径±３８％（０．６２×平均粒径乃至１．３８×平均粒径）の範囲外に１５質量％以上の粒子が含まれていることが好ましく、２０質量％以上の粒子が含まれていることがさらに好ましく、２５質量％以上の粒子が含まれていることが最も好ましい。
【００２３】
ゴミ焼却灰の溶融スラグの冷却粉砕物またはそれと天然の砂との混合物、すなわち本発明で使用する粒状の無機培地は、植物の栽培に適した透水性を有している。具体的に好ましい透水性は、栽培する植物の種類に応じて決定する。一般的な目安として、下記の透水性試験において、水位が砂面から６ｃｍ（管の下端から１１ｃｍ）の箇所から砂面から１ｃｍ（管の下端から６ｃｍ）の箇所まで低下する時間が３乃至８０秒間であることが好ましく、５乃至４０秒間であることがさらに好ましく、７乃至２０秒間であることが最も好ましい。
【００２４】
（透水性試験）
（１）内径が１３ｍｍ、長さが３０ｃｍのガラス管を準備する。ガラス管の下端から５ｃｍ、６ｃｍ、および１１ｃｍの箇所に印を付ける。
（２）キムワイプを直径３ｃｍの円形に切り取り、円の中心をガラス管の下端に当ててガラス管の下端を覆い、ガラス管の側面でキムワイプを接着する。これによりキムワイプでガラス管の下端に蓋をする。
（３）砂をガラス管の下端から５ｃｍの箇所まで流し込む。砂の上端がガラス管の下端から５ｃｍの箇所と一致するか、ガラス管を上下左右に振って確認し、必要に応じて砂の量を調整する。
（４）ガラス管の上部から水を流しこむ。大部分の水が砂を通ってガラス管の下端から流れ出したことを確認後、再びガラス管の上部から水を流しこむ。これを３回繰り返して、砂に水をなじませる。
（５）ガラス管の上部から水を流しこみ、砂面から２０ｃｍ（管の下端から２５ｃｍ）程度に水面が位置するようにする。
（６）水位が砂面から６ｃｍ（管の下端から１１ｃｍ）の箇所から砂面から１ｃｍ（管の下端から６ｃｍ）の箇所まで低下する時間（秒）を測定する。
【００２５】
ゴミ焼却灰の溶融スラグの冷却粉砕物の粒径および透水性は、溶融スラグの冷却物の粉砕時間および粉砕条件により調節することができる。また、ゴミ焼却灰の溶融スラグの冷却粉砕物と天然の砂との混合物を粒状の無機培地として使用する場合は、両者の混合比を変更することによっても、粒径および透水性を調整することができる。
ゴミ焼却灰の溶融スラグの冷却粉砕物と天然の砂との混合物を粒状の無機培地として使用する場合、混合物中のゴミ焼却灰の溶融スラグの冷却粉砕物の比率は、３０質量％以上が好ましく、４０乃至９５質量％がさらに好ましく、４５乃至９０質量％が最も好ましい。
【００２６】
［高床式の栽培床］
本発明では、高床式の栽培床を採用する。高床式とは、地面または屋内栽培における屋内の床面よりも高い位置に栽培床を設置する方式である。高床式の主な利点は、作業効率の改善である。また、地面から隔離することで、他の培地からの各種薬害、微生物、ウイルスなどの侵害が抑制される。さらに、栽培床を多段構造にして、生産性を向上させることもできる。高床式の栽培床は、養液栽培の利点の一つとして、広く一般に採用されている。
栽培床を設置する高さは、主要な目的である作業効率を考慮して決定する。栽培する植物の種類や栽培作業者（ヒトに限らず機械の場合もある）により、作業に最適な高さが異なる。また、同じ植物であっても、栽培初期と収穫段階では、作業に最適な高さが異なる場合もある。そのような場合、栽培床の高さを変動できるようにしてもよい。
【００２７】
栽培床の高さ（地面または屋内栽培における屋内の床面から、栽培床内の培地の上面までの高さ）は、一般に５０乃至１００ｃｍである。
高い位置に栽培床を設置する手段としては、架台方式とつり下げ方式とがある。本発明では、いずれの方式も採用できる。ただし、ゴミ焼却灰の溶融スラグの冷却粉砕物または天然の砂を使用する本発明では、他の養液栽培よりも、栽培床の重量が大きくなる傾向がある。架台方式の方が、重量が大きな栽培床に適している。架台方式の場合、高床式の栽培床は、容器および容器に取り付けられている複数の（通常は４本以上の偶数の）支柱からなる。
【００２８】
栽培床の大きさも、基本的には栽培する植物の種類に応じて決定する。
培養液は、後述するように、チューブから栽培床に供給する方法が一般的である。そのため、栽培床の形状は、チューブに沿った方向が長い長方形であることが好ましい。長方形の縦（チューブに沿った長辺）は、３０乃至２５００ｃｍが好ましく、６０乃至１０００ｃｍがさらに好ましく、１２０乃至２００ｃｍが最も好ましい。長方形の横（チューブに直交する短辺）は、２０乃至２００ｃｍが好ましく、５０乃至１００ｃｍがさらに好ましい。複数の長方形の栽培床を縦方向に連結してもよい。連結する場合の長さは、７０ｍ以上も可能である。
【００２９】
栽培床の深さ（無機培地の厚さ）は、１０乃至３０ｃｍであることが好ましく、１５乃至２０ｃｍであることがさらに好ましい。本発明では、従来の天然の砂を使用する無機培地（一般に７乃至１０ｃｍの深さ）よりも、栽培床を深くすることができる。栽培床を深くすることにより、根菜類や果菜類の栽培が可能または容易になる。
栽培床の深さの上限値は、高床式の栽培床の積載限界（一般に４００ｋｇ／ｍ２程度）による。水を含んだ状態の天然の砂の比重は１．７程度である。ゴミ焼却灰の溶融スラグの冷却粉砕物またはそれと天然の砂との混合物の比重も、同様の値である。よって、栽培床の深さが１５ｃｍであると、２５０ｋｇ／ｍ２程度の重量になる。
【００３０】
種を播く段階から栽培床を使用する（播種用栽培床の）場合は、栽培床を種子毎に細分化したポット（後述する実施例１では、９×１８個のポット）の集合体として構成してもよい。
栽培床の底面は、ゴミ焼却灰の溶融スラグの冷却粉砕物が流出しない範囲で、通気性および排水性を有することが好ましい。そのため、通気性および排水性を有するメッシュシートを栽培床の底面に用いることができる。
【００３１】
［給液装置］
栽培床には、培養液を栽培床に供給する給液装置を取り付けることができる。ただし、小規模な栽培では、特に装置を設けず、手作業で培養液を供給してもよい。
培養液は、一般にチューブ（マイクロチューブ、ドリップチューブ）を通して、点滴により栽培床に供給する。培養液の供給は、循環しない方式（非循環式）が普通である。栽培床に複数のチューブを設ける場合、チューブの間隔は１０乃至５０ｃｍが好ましい。
【００３２】
給液装置には、調製済みの培養液を培養液タンクに貯蔵してから、給液パイプを経由してチューブに供給する方式と、液体肥料と水とを希釈器で混合して、そのまま給液パイプを経由してチューブに供給する方式とがある。いずれの方式も本発明に採用できる。
培養液タンクに、電気伝導度（ＥＣ）センサー、ｐＨセンサーあるいは水位測定器を取り付けてもよい。また、これらのセンサーの値に応じて培養液の成分を補充する（ＥＣやｐＨの値を調整する）ために、原液タンク、原液供給ポンプ、および原液供給のための導管を取り付けることもできる。
【００３３】
栽培床に含水値センサーを取り付け、その測定値に応じて、自動かん水制御装置（かん水コントローラ）により、水の供給量を制御してもよい。
培養液の供給経路となる給液パイプには、フィルター、流量計あるいは減圧弁、あるいは電磁弁を取り付けてもよい。
【００３４】
［栽培植物］
本発明は、特に葉物野菜、根菜または果実の栽培に適している。
前述したように、従来の天然の砂を用いる養液栽培は、主に葉物野菜の栽培に使用されている。本発明では、従来よりも栽培床を深くすることができるため、栽培植物が深く根を張る必要がある根菜や果実の栽培も可能である。
【００３５】
一般的な葉物野菜は、キク科（例、レタス、サラダ菜、シュンギク）、アブラナ科（例、キャベツ、白菜、チンゲン菜、小松菜、クレソン）、およびアカザ科（例、ほうれん草）の植物が代表的である。葉物野菜には、ハーブ類も含まれる。ハーブ類は、セリ科（例、パセリ、チャービル、ディル）およびシソ科（例、バジル、ミント、セージ、タイム）の植物が代表的である。
根菜としては、アブラナ科（例、大根、カブ）、セリ科（例、ニンジン）、キク科（例、ゴボウ）、ヒルガオ科（例、サツマイモ）、およびナス科（例、ジャガイモ）の植物が含まれる。
果実としては、バラ科（例、イチゴ）、ウリ科（例、メロン、キュウリ）、およびナス科（例、トマト）の植物が養液栽培に適している。
【００３６】
［培養液］
培養液の組成は、通常の養液栽培に使用される培養液と同様である。
以下に、主な葉物野菜と果実について、窒素、リン、カリウム、カルシウムおよびマグネシウムの組成（単位：ｍｅ／リットル）の範囲を示す。
【００３７】
───────────────────────────────────
葉物野菜  Ｎ（硝酸換算）Ｐ（リン酸換算）    Ｋ        Ｃａ      Ｍｇ
───────────────────────────────────
レタス       5.4〜 7.1      1.3〜2.7     3.0〜 4.4  1.6〜2.2  0.9〜2.0
サラダ菜    11.9〜20.5      3.6〜5.5     7.2〜11.5  3.6〜7.1  1.8〜3.2
クレソン     4.0〜11.4      2.7〜4.9     3.1〜 7.4  0.9〜3.0  0.9〜3.3
ほうれん草   9.6〜19.3      2.4〜4.9     4.7〜11.3  3.6〜9.1  2.4〜4.4
───────────────────────────────────
イチゴ       3.4〜10.8      1.5〜3.6     2.2〜 6.0  0.9〜3.7  1.0〜2.7
メロン       8.0〜18.8      2.0〜4.4     4.0〜 6.4  4.0〜8.4  2.0〜4.0
キュウリ    13.0〜13.1      3.0〜4.4     5.3〜 5.7  5.7〜7.0  2.6〜3.0
トマト       7.0〜13.9      2.0〜4.0     4.0〜 8.9  3.0〜9.5  2.0〜4.0
───────────────────────────────────
【００３８】
［環境管理］
光源は、太陽光および人工光源のいずれも採用できる。一般に、屋外の栽培では太陽光を用い、屋内の栽培では人工光源を採用する。太陽光と人工光源とを併用してもよい。また、強い太陽光を好まない植物を屋外で栽培する場合は、遮光カーテンのような遮光手段を用いてもよい。
屋内の栽培では、二酸化炭素の供給手段、温度や湿度あるいは気流速度の調整手段を設置してもよい。
【００３９】
［連作］
養液栽培は、連作障害が起こりにくいとの特徴がある。特に本発明のような粒状の無機培地を使用する栽培では、粒状の無機培地を洗浄してから再利用することができる。培地を洗浄してから再利用することにより、連作障害の問題をほぼ完全に解決することができる。従って、本発明では、実質的に無制限の回数の連作が可能である。
【実施例】
【００４０】
［実施例１］
（播種から育苗まで）
前述した元素の組成を有するゴミ焼却灰の溶融スラグを冷却および粉砕して、下記の粒子サイズ分布を有する溶融スラグの冷却粉砕物を得た。平均粒径は、８０３μｍであった。
【００４１】
３００〜  ５００μｍ：１５質量％
５００〜  ７００μｍ：１５質量％
７００〜  ９００μｍ：４１質量％
９００〜１１００μｍ：１５質量％
１１００〜１３００μｍ：１２質量％
１３００μｍ以上      ：  ２質量％
【００４２】
図１に示す播種用ポット（９×１８＝１６２）からなる栽培床に、ゴミ焼却灰の溶融スラグの冷却粉砕物を充填した。冷却粉砕物は砂と比較すると粒子に角があり点圧に手が少し痛い以外は、天然の砂と同様に良質の栽培床を作成できた。冷却粉砕物を充填した状態を図２に示す。
各ポットに直径１ｃｍ、深さ１ｃｍの穴をあけ、穴にチンゲン菜の種子を一つずつ播いた。穴に培地（ゴミ焼却灰の溶融スラグの冷却粉砕物）をかけて、手で軽く点圧した。水やりをおこなったところ、大部分（１５０／１６２）が発芽した。発芽した状態を図３に示す。
培養液を散布しながら、１５日間育苗したところ、天然の砂の場合（後述する参考例）と同様に、苗を生育できた。なお、培地の温度は天然の砂の場合とほぼ同じ（１℃低いだけ）であった。１５日後の苗の状態を図４に示す。
【００４３】
［実施例２］
（定植から出荷まで）
縦１８０ｃｍ、横６０ｃｍ、深さ１５ｃｍの栽培床を縦方向に二つ連結し、ゴミ焼却灰の溶融スラグの冷却粉砕物を培地として充填した。栽培床は、培地の上面が７０ｃｍの高さとなるように高床式に設置した。
通常の砂栽培と同様に、初回の元肥を施し、２４時間放置した。
実施例１で生育した苗を、一つの栽培床に（３×９＝）２７株、総計で５４株を定植した。苗を定植した状態を図５に示す。
通常の砂栽培と同様に、栽培を行った。定植後１２日が経過したチンゲン菜を図６に、定植後２０日が経過したチンゲン菜を図７に示す。
その結果、理想的な砂を用いた栽培（下記参考例）と同様に、チンゲン菜を栽培することができた。
【００４４】
［参考例１］
天然の砂を篩いにかけて、粒子径で分類し、それを改めて混合して、人為的に理想的な砂を調製した。混合比は、１００乃至３００μｍの粒径を有する粒子が１０質量％、３００乃至５００μｍの粒径を有する粒子が７０質量％、１０００乃至４０００μｍの粒径を有する粒子が２０質量％であった。
この理想的な砂を用いて、実施例１および２と同様に栽培を行い、比較対象とした。
実施例２と同様に栽培し、定植後１２日が経過したチンゲン菜を図８に示す。
【産業上の利用可能性】
【００４５】
本発明では、養液栽培に用いられている天然の砂に代えて、または天然の砂と共に、ゴミ焼却灰の溶融スラグの冷却粉砕物を使用する。本発明により、ゴミ焼却灰の溶融スラグの冷却粉砕物を使用しても、天然の砂を用いる場合と同様に、植物を養液栽培することが可能になった。
これにより、天然の砂の採取が困難になっても、同様の養液栽培を実施することができる。
【図１】
2015039303.tif 000003
【図２】
2015039303.tif 000004
【図３】
2015039303.tif 000005
【図４】
2015039303.tif 000006
【図５】
2015039303.tif 000007
【図６】
2015039303.tif 000008
【図７】
2015039303.tif 000009
【図８】
2015039303.tif 000010